(57)【要約】【課題】  ボビンケースに設けられた糸調子バネのバネ力を常に十分に発揮して下糸の糸調子の安定化を図るようにすること、ボビンケースの下糸出口から針板の針穴に向かう下糸に縫針が刺さる確率を低くすること、縫目形成方向に関係なくヒッチステッチの発生を確実に防止できるようにすることである。【解決手段】  垂直全回転釜１の中釜３に一体形成された下糸案内部３ａの係止壁部３ｃに下糸通過穴３ｄを形成し、下糸通過穴３ｄよりも上側において係止壁部３ｃの上端部の後面に後方へ膨らませた膨出部３ｆを形成した。ボビンケース４の下糸出口１９から外部に出た下糸ＤＴは、下糸案内部材２０を経由し、下糸案内部３ａの前面側から下糸通過穴３ｄに挿通し膨出部３ｆで案内されてから、針板５の針穴５ａを通過して針板５の上側の加工布Ｗに繋がっている。【選択図】  図８
2008086391.tif 000002
【特許請求の範囲】
【請求項１】
ミシンの針板の下側で縫針の上下動と調時して下軸と一体回転する外釜と、この外釜に相対回転自在に装着された中釜と、前記針板に取り付けられ中釜が回転しないように拘束する釜止め部材と、前記中釜に着脱可能に装着されたボビンケースとを有するミシンの全回転釜において、
前記中釜は下糸案内部とこの下糸案内部に形成され釜止め部材の一部が挿入される係止穴部とを有し、前記下糸案内部のうちの前記係止穴部よりも外釜回転方向前進側の係止壁部に下糸通過穴が形成され、
前記ボビンケースの下糸出口から外部に出た下糸を、前記下糸案内部の前面側から前記下糸通過穴に挿通させるように構成したことを特徴とするミシンの全回転釜。
【請求項２】
前記下糸通過穴よりも上側において前記係止壁部の上端部の後面に後方へ膨らませた膨出部を形成し、下糸通過穴を挿通した下糸が前記膨出部で案内されるように構成したことを特徴とする請求項１に記載のミシンの全回転釜。
【請求項３】
前記釜止め部材を左右方向へ所定ストローク移動駆動可能な駆動手段を設け、
前記駆動手段で釜止め部材を移動駆動することで、前記下糸通過穴を縫針の上下動軌跡の延長線に対して左側に位置する左側位置と右側に位置する右側位置とに択一的に切換え可能に構成したことを特徴とする請求項１又は２に記載のミシンの全回転釜。
【発明の詳細な説明】
【技術分野】
【０００１】
本発明は、外釜に相対回転自在に装着された中釜の上糸案内部に下糸通過穴を形成し、ボビンケースの下糸出口から外部に出た下糸を下糸通過穴に挿通させてから針板の針穴に向かうように構成したミシンの全回転釜に関する。
【背景技術】
【０００２】
従来、工業用ミシンには、半回転釜が使用される場合もあるが、一般的には、釜駆動機構が簡単な垂直全回転釜を使用する場合が多い。この垂直全回転釜では、ＤＰ型の高速千鳥縫い用の全回転釜を使用する場合がある。そこで、何れの回転釜にも、下糸を巻装した下糸ボビンを有するボビンケースが収容されている。
【０００３】
例えば、特許文献１に記載の垂直全回転釜は、回転可能な外釜と、この外釜に回転止めされた状態で保持される内釜と、この内釜に装着されるボビンケースとを含んで構成され、ボビンケースには下糸ボビンが収容されている。このボビンケースの外周壁のうち、軸線方向の中間位置である右側面にボビン糸調子バネが設けられ、このボビン糸調子バネの先端部、つまりボビンケースの右肩の位置を下糸出口として、下糸ボビンに巻装された下糸が斜め上側に出るようになっている。
【特許文献１】特開２００５−２６１８４８号公報  （第６頁、図１３，図１４）
【発明の開示】
【発明が解決しようとする課題】
【０００４】
特許文献１に記載の垂直全回転釜に使用されるボビンケースにおいて、下糸がボビン糸調子バネの先端部である下糸出口から上側に出る場合には、布送りが実行される際に下糸が上側に引っ張られるようになり、この下糸による引っ張り力の強さによっては、ボビン糸調子バネが浮くようになり、ボビン糸調子バネのバネ力が安定しないことから、下糸の糸調子が不安定になり、縫目が揃わないという問題がある。
【０００５】
更に、ボビンケースの右肩の位置が下糸出口であることから、ヒッチステッチが発生する縫目形成方向の範囲は、ＸＹ座標の＋Ｙ方向を０°とした場合、約１４０°〜約１８０°であると想定される。そこで、このヒッチステッチが発生する縫目形成方向の範囲をＹ軸に対して反対側、つまり約１８０°〜約２２０°に切換えることができないという問題がある。
【０００６】
本発明の目的は、ボビンケースに設けられた糸調子バネのバネ力を常に十分に発揮して下糸の糸調子の安定化を図るようにすること、ボビンケースの下糸出口から針板の針穴に向かう下糸に縫針が刺さる確率を低くすること、縫目形成方向に関係なくヒッチステッチの発生を確実に防止できるようにすること、等である。
【課題を解決するための手段】
【０００７】
請求項１のミシンの全回転釜は、ミシンの針板の下側で縫針の上下動と調時して下軸と一体回転する外釜と、この外釜に相対回転自在に装着された中釜と、針板に取り付けられ中釜が回転しないように拘束する釜止め部材と、中釜に着脱可能に装着されたボビンケースとを有するミシンの全回転釜において、中釜は下糸案内部とこの下糸案内部に形成され釜止め部材の一部が挿入される係止穴部とを有し、下糸案内部のうちの係止穴部よりも外釜回転方向前進側の係止壁部に下糸通過穴が形成され、ボビンケースの下糸出口から外部に出た下糸を、下糸案内部の前面側から下糸通過穴に挿通させるように構成したものである。
【０００８】
縫製に際して、ボビンケースに収容された下糸ボビンから繰り出された下糸は、ボビンケースの下糸出口から外部に出て、中釜に一体形成された下糸案内部に形成された下糸通過穴を前面側から挿通させてから針板の針穴を経由して針板の上側に引き出される。即ち、下糸通過穴を通過してから針穴に向かう下糸の向きが鉛直向きに近づく、つまり縫針の上下動軌跡の延長線の向きに近づくので、縫針が下降する際に、縫針が下糸に刺さりにくくなる。
【０００９】
一般に、このボビンケースの下糸出口には、下糸に糸張力を調節可能に付与する糸調子バネが設けられており、下糸出口から出る下糸にはこの糸調子バネのバネ力が常に作用する。この状態で縫製が開始される際に、布送りに際して下糸が加工布側に引っ張られても、下糸出口の下糸は下糸通過穴によりボビンケースの外面に添うように引っ張られるので、糸調子バネが不用意に浮き上がることがなく、下糸に付与される糸張力が安定するので、糸調子バネのバネ力を常に十分に発揮でき、縫目が綺麗になる。
【００１０】
請求項２のミシンの全回転釜は、請求項１において、前記下糸通過穴よりも上側において係止壁部の上端部の後面に後方へ膨らませた膨出部を形成し、下糸通過穴を挿通した下糸が膨出部で案内されるように構成したものである。
【００１１】
請求項３のミシンの全回転釜は、請求項１又は２において、前記釜止め部材を左右方向へ所定ストローク移動駆動可能な駆動手段を設け、駆動手段で釜止め部材を移動駆動することで、下糸通過穴を縫針の上下動軌跡の延長線に対して左側に位置する左側位置と右側に位置する右側位置とに択一的に切換え可能に構成したものである。
【発明の効果】
【００１２】
請求項１の発明によれば、外釜と中釜と釜止め部材とボビンケースとを有するミシンの全回転釜において、中釜は下糸案内部とこの下糸案内部に形成され釜止め部材の一部が挿入される係止穴部とを有し、下糸案内部のうちの係止穴部よりも外釜回転方向前進側の係止壁部に下糸通過穴が形成され、ボビンケースの下糸出口から外部に出た下糸を、下糸案内部の前面側から下糸通過穴に挿通させるように構成したので、下糸通過穴を通過してから針穴に向かう下糸の向きが鉛直向きに近づくので、縫針が下降する際に、縫針が下糸に刺さる確率を低くすることができ、縫製作業の作業性を高めることができる。
【００１３】
ボビンケースの下糸出口から外部に出る下糸は下糸通過穴によりボビンケースの外面に添うように引っ張られるので、縫製中における布送りに際して下糸が加工布側に引っ張られても、下糸出口に設けられた糸調子バネが不用意に浮き上がることがなく、下糸に付与される糸張力が安定するので、糸調子バネのバネ力を常に十分に発揮でき、綺麗な縫目を形成することができる。
【００１４】
請求項２の発明によれば、前記下糸通過穴よりも上側において係止壁部の上端部の後面に後方へ膨らませた膨出部を形成し、下糸通過穴を挿通した下糸が前記膨出部で案内されるように構成したので、この膨出部で案内された下糸が針板の針穴に向かう下糸の向きがより鉛直向きになり、縫針の下降時に下糸に刺さる確率をより一層低減させることができる。その他請求項１と同様の効果を奏する。
【００１５】
請求項３の発明によれば、前記釜止め部材を左右方向へ所定ストローク移動駆動可能な駆動手段を設け、駆動手段で釜止め部材を移動駆動することで、下糸通過穴を縫針の上下動軌跡の延長線に対して左側に位置する左側位置と右側に位置する右側位置とに択一的に切換え可能に構成したので、布送り方向によって、ヒッチステッチが発生しないように、駆動機構を駆動して釜止め部材を左右方向に移動駆動させ、下糸通過穴を左側位置と右側位置とに適宜切換えることができる。
【００１６】
即ち、布送り方向によって縫針の目孔から延びる上糸が縫針の右側に絡むときには、駆動手段により釜止め部材を右方に移動させて、下糸通過穴を右側位置に切換えることで下糸も縫針の右側に位置するので、ヒッチステッチを防止することができる。また、布送り方向によって縫針の目孔から延びる上糸が縫針の左側に絡むときには、駆動手段により釜止め部材を左方に移動させて、下糸通過穴を左側位置に切換えることで下糸も縫針の左側に位置するので、ヒッチステッチを防止することができる。その他請求項１又は３と同様の効果を奏する。
【発明を実施するための最良の形態】
【００１７】
本実施例のミシンの全回転釜は、中釜から上側に張り出した下糸案内部に下糸通過穴を形成し、ボビンケースの下糸出口から外部に出た下糸を、下糸案内部の前面側から下糸通過穴に挿通させるようにして、ボビンケースから針板の針穴に向かう下糸の向きが極力鉛直向きになり、縫針がこの下糸に刺さりにくくするとともに、上糸通過穴を左方又は右方に回動させることで、加工布の布送り方向が何れであっても、ヒッチステッチが発生しないようにしてある。
【実施例】
【００１８】
先ず、ミシンのベッド部に設けられた垂直全回転釜１について説明する。
図１に示すように、垂直全回転釜１は、高速千鳥縫い用の全回転釜であり、後述する下軸８により回転可能に設けられる外釜２と、この外釜２に嵌まり込んで外釜２に対して相対回転自在に装着された中釜３と、中釜３に装着されるボビンケース４と、針板５に取付けられ中釜３が回転しないように拘束する釜止め部材７とを含んで構成される。
【００１９】
外釜２は外釜本体１０と、この外釜本体１０に連なる回転軸１１とを有し、ミシンの主軸（図示略）と同期して回転する下軸８から回転軸１１に回転力が伝達されることによって、縫針６の上下動に同期して回転軸１１の軸心回りに正面視にて時計回りに回転駆動される。ここで、外釜本体１０には、時計回りの回転方向に向けた剣先１２が形成されている。
【００２０】
中釜３は中釜本体１５とスタッド１６とを有し、外釜本体１０に同軸に嵌まり込んで、相互に回転可能に支持される。スタッド１６は、中釜本体１５の底部から中釜本体１５の開放端側に延びるように突出して設けられる。
【００２１】
ボビンケース４は、図４，図５に示すように、前面が塞がれた筒体であり、中釜３に相対的な回転が阻止された状態で装着され、下糸ＤＴが巻装された下糸ボビン（図示略）を収納している。そこで、下軸８の回転による回転力が垂直全回転釜１に伝達されると、外釜２が縫針６の上下動に同期して、中釜３を釜止め部材７で回転しないように拘束した状態で、正面視にて時計回りに回転駆動される。
【００２２】
外釜２が回転されることによって、加工布Ｗを挿通した縫針６の目孔６ａから延びる上糸ＵＴの上糸ループＵＴａが剣先１２によって捕捉され、中釜３の周囲を周回し、これによって縫針６の目孔６ａから延びる上糸ループＵＴａと下糸ボビンから延びる下糸ＤＴとが交絡され、図示しない天秤によって上糸ループＵＴａが引き締められることにより、縫目が形成される。ここで、縫針６の目孔６ａは前後方向向きに形成され、天秤から供給される上糸ＵＴはこの目孔６ａに後方から前方に向けて糸通しされている。
【００２３】
中釜３の上側に一体的に張り出した下糸案内部３ａが形成され、この下糸案内部３ａには、釜止め部材７の一部である左側係合部７ａが挿入される係止穴部３ｂが形成されている。下糸案内部３ａのうちの係止穴部３ｂよりも外釜回転方向前進側端部に係止壁部３ｃが形成され、この係止壁部３ｃの下端部に小さな下糸通過穴３ｄが形成されている。更に、下糸通過穴３ｄよりも上側において、図８に示すように、係止壁部３ｃの上端部の後面に後方へ膨らませた膨出部３ｆが形成され、下糸通過穴３ｄを通過した下糸ＤＴが膨出部３ｆで案内され、針板５の針穴５ａに向かうようになっている。
【００２４】
ところで、図４，図８に示すように、ボビンケース４の外周壁４ａのうちの右肩の部位に、内部の下糸ボビンから外部に引き出される下糸ＤＴに付与する糸張力を調節可能な糸調子バネ１８が付設されている。従って、下糸ＤＴは、糸調子バネ１８と外周壁４ａとの間を通り、糸調子バネ１８の先端部の下糸出口１９を経て外部に引き出される。
【００２５】
次に、ボビンケース４の前面左側に固着された糸案内部材２０について説明する。
図１，図３〜図５に示すように、糸案内部材２０は、正面視にて小判形状であり、ボビンケース４の前面のうち縫針６の上下動軌跡の延長線Ｎよりも左側に配設され、この下半部分において固着されている。そして、この上半部分が前方に所定角度だけ曲げ形成（図５参照）されている。糸案内部材２０の上半部分には、下糸ＤＴを係合可能な下糸案内穴２０ａが形成されている。
【００２６】
ボビンケース４の前面部には、更に、図４，図５に示すように、下糸出口１９から糸案内部材２０の上半部分に向かう案内溝２０ｂが左下がりに傾斜した直線状に形成されている。そこで、ボビンケース４の下糸出口１９から引き出された下糸ＤＴは、この案内溝２０ｂに案内されて糸案内部材２０の下糸案内穴２０ａを後側から前側に通され、上側の下糸通過穴３ｄを前面側から挿通し、斜め上側に延びて針板５の針穴５ａを経て加工布Ｗに連なっている。
【００２７】
次に、釜止め部材７を左右方向へ所定ストローク移動駆動可能な釜止め駆動機構（駆動手段）２５について説明する。
図６〜図８に示すように、垂直全回転釜１よりも前側の針板５の下面に、左右方向向きのスライド部材２６が配置されている。このスライド部材２６は、これに形成された左右方向に長い１対の長穴２６ａを介して段付き螺子２７で針板５の下面に左右方向移動可能に支持されている。
【００２８】
このスライド部材２６には、前後方向に向けた釜止め部材７の前端部が螺子２８で固定されている。釜止め部材７の後端部はやや上向きに湾曲し、この湾曲部に二股状に開いた左右両係合部７ａ，７ｂが形成されている。左側係合部７ａは中釜３の係止穴部３ｂに挿入され、右側係合部７ｂは中釜３の係止壁部３ｃの右端に当接している。即ち、係止壁部３ｃは左右両係合部７ａ，７ｂにより係止されるので、中釜３の回動位置が位置決めされている。
【００２９】
スライド部材２６の直ぐ左側に、下向きにラック歯３０ａを形成したラック部材３０が連結され、針板５の下面に左右方向スライド可能に支持されている。更に、このラック部材３０から前側の位置に後向きに配置された切換えモータ３１が針板５の下面に固着されている。この駆動軸にピニオン３２が固定され、このピニオン３２がラック部材３０のラック歯３０ａに噛み合っている。この切換えモータ３１はステッピングモータからなっている。
【００３０】
それ故、切換えモータ３１が正面視にて反時計回りに回転すると、ラック部材３０とスライド部材２６とが一体的に左方に移動するので、釜止め部材７も同時に左方に所定ストロークだけ移動し、釜止め部材７を介して中釜３が反時計回り（図１参照）に回動する。このとき、下糸通過穴３ｄは縫針６の上下動軌跡の延長線Ｎに対して左側の左側位置に移動し、この下糸通過穴３ｄを前面側から後方に挿通した下糸ＤＴは、膨出部３ｆで案内されてから右斜め上側の針穴５ａに向かう。
【００３１】
この状態で縫針６が針穴５ａを経て針板５の下側に下降してくると、針穴５ａを挿通して下糸通過穴３ｄに至る下糸ＤＴは弛むことなく張った状態で必ず縫針６の左側に位置することになる。それ故、ＸＹ座標の＋Ｙ方向を０°とした場合に、下糸通過穴３ｄが左側位置に切換えられている場合であって、縫目形成方向θ（布送り方向と反対方向）が約１８０°〜２２０°付近の場合に、図９に示すヒッチステッチ（ＨＳにて図示）が発生する範囲を避けることになり、ヒッチステッチを防止することができとなる。
【００３２】
切換えモータ３１が正面視にて時計回りに回転すると、ラック部材３０とスライド部材２６とが一体的に右方に移動（図６参照）するので、釜止め部材７も同時に右方に移動し、釜止め部材７を介して中釜３が時計回り（図１０参照）に回動する。このとき、下糸通過穴３ｄは縫針６の上下動軌跡の延長線Ｎに対して右側の右側位置に移動し、この下糸通過穴３ｄを前面側から後方に挿通した下糸ＤＴは膨出部３ｆで案内されてから左斜め上側の針穴５ａに向かう。
【００３３】
この状態で縫針６が針穴５ａを経て針板５の下側に下降してくると、針穴５ａを後側から前側に挿通して下糸通過穴３ｄに至る下糸ＤＴは弛むことなく張った状態で必ず縫針６の右側に位置していることになる。それ故、ＸＹ座標の＋Ｙ方向を０°とした場合に、下糸通過穴３ｄが右側位置に切換えられている場合であって、縫目形成方向θ（布送り方向と反対方向）が約１４０°〜１８０°付近の場合に、図１１に示すヒッチステッチ（ＨＳにて図示）が発生する範囲を避けることになり、ヒッチステッチを防止することができる。
【００３４】
次に、このように構成された垂直全回転釜１の作動及び効果について説明する。
図８に示すように、ボビンケース４に収容された下糸ボビンの下糸ＤＴは、下糸出口１９から案内溝２０ｂを経て糸案内部材２０の下糸案内穴２０ａを経た後、下糸通過穴３ｄを前面側から挿通して膨出部３ｆで案内されてから、針穴５ａを経由して針板５の上側の加工布Ｗに連なっている。それ故、針穴５ａから中釜３に向かう下糸ＤＴの向きが鉛直向きに、つまり縫針６の上下動軌跡の延長線Ｎの向きに近くなり、縫針６が下降する際に、縫針６が下糸ＤＴに刺さる確率を格段に低くすることができ、縫製品の不合格率を低下させることができる。
【００３５】
ボビンケース４の下糸出口１９から外部に出た下糸ＤＴは、糸案内部材２０と下糸通過穴３ｄを経てから針穴５ａに向かうので、布送りに際して下糸ＤＴが加工布Ｗ側に引っ張られても、下糸出口１９の下糸ＤＴは下糸案内穴２０ａにより横方向に引っ張られるので、下糸出口１９に設けられた糸調子バネ１８が不用意に浮き上がることがなく、下糸ＤＴに付与される糸張力が安定するので、糸調子バネ１８のバネ力を常に十分に発揮でき、綺麗な縫目を形成することができる。
【００３６】
縫製途中の縫目形成方向が前方且つ右方の場合、つまり図１，図８に示すように、布送り方向が後方且つ左方の場合には、図１に示すように、釜止め駆動機構２５により釜止め部材７が左方に移動して下糸通過穴３ｄが縫針６の上下動軌跡の延長線Ｎに対して左側の左側位置に移動される。この場合には、上糸ＵＴは縫針６の左側に位置し且つ下糸ＤＴも張った状態で縫針６の左側に位置するようになるので、ヒッチステッチの発生を確実に防止することができる。
【００３７】
縫製途中の縫目形成方向が前方且つ左方の場合、つまり図８，図１０に示すように、布送り方向が後方且つ右方の場合には、釜止め駆動機構２５により釜止め部材７が右方に移動して下糸通過穴３ｄが右側位置に移動される（図６参照）。この場合には、上糸ＵＴは縫針６の右側に位置し且つ下糸ＤＴも張った状態で縫針６の右側に位置するようになるので、この場合にも、ヒッチステッチの発生を確実に防止することができる。
【００３８】
次に、前記実施例を部分的に変更した変更形態について説明する。
１）釜止め駆動機構２５は、切換えモータ３１とラック部材３０を設けない手動式の切換え機構であってもよい。この場合には、縫目形成方向により、ヒッチステッチが発生しないように、作業者が釜止め部材７を手動で左方又は右方に適宜切換えることができる。
【００３９】
２）釜止め部材７は、後端部の左右両係合部７ａ，７ｂに代えて１つの突起部を有し、この突起部を下糸案内部３ａに形成した小型の係止穴部３ｂに係合させるように構成してもよい。
【００４０】
３）ボビンケース４に設けた糸案内部材２０を省略し、ボビンケース４の下糸出口１９から外部に出た下糸ＤＴを下糸通過穴３ｄに直接導くようにしてもよい。この場合にも、前述した実施例と同様の効果を得ることができる。
【図面の簡単な説明】
【００４１】
【図１】本発明の垂直全回転釜の正面図である。
【図２】本発明の垂直全回転釜の平面図である。
【図３】本発明の垂直全回転釜の斜視図である。
【図４】ボビンケースの正面図である。
【図５】縫製中のボビンケースの側面図である。
【図６】ベッド部内の要部底面図である。
【図７】ベッド部内の要部側面図である。
【図８】縫製中における垂直全回転釜と針板の部分拡大側面図である。
【図９】パーフェクトステッチとヒッチステッチの説明図である。
【図１０】下糸通過穴を右側位置に切換えたときの図１相当図である。
【図１１】パーフェクトステッチとヒッチステッチの説明図である。
【符号の説明】
【００４２】
１      垂直全回転釜
２      外釜
３      中釜
３ａ    下糸案内部
３ｂ    係止穴部
３ｃ    係止壁部
３ｄ    下糸通過穴
３ｆ    膨出部
４      ボビンケース
５      針板
６      縫針
７      釜止め部材
１９    下糸出口
２０    糸案内部材
２５    釜止め駆動機構
３０    ラック部材
３１    切換えモータ
Ｎ      縫針の上下動軌跡の延長線
【図１】
2008086391.tif 000003
【図２】
2008086391.tif 000004
【図３】
2008086391.tif 000005
【図４】
2008086391.tif 000006
【図５】
2008086391.tif 000007
【図６】
2008086391.tif 000008
【図７】
2008086391.tif 000009
【図８】
2008086391.tif 000010
【図９】
2008086391.tif 000011
【図１０】
2008086391.tif 000012
【図１１】
2008086391.tif 000013